(57)【要約】【課題】            バッグとして使用しない時にはバッグ内に付設した小物入れ内にバッグをコンパクトに格納して携行でき、バッグとして使用する時にはバッグ内に付設した小物入れとして使用できる、トートバッグを提供する。【解決手段】        トートバッグ本体１と、このバッグ本体１の内側に開口部１１を上側にして付設した携帯格納袋１０とから構成し、バッグとしての使用形態では携帯格納袋１０を内側ポケットとして機能させ、バッグとして使用しない時にはトートバッグ本体１を携帯格納袋１０内にコンパクトに格納できるようにした。また、携帯格納袋１０の背面部に被覆カバー１５を取付け、バッグ本体１を格納した携帯格納袋１０の開口部を被覆できるようにした。【選択図】          図１
0003137469.tif 000002
【実用新案登録請求の範囲】
【請求項１】
上部側に取り出し口を有する袋状のバッグ部とこのバッグ部の取り出し口側に肩掛け用又は手提げ用の取手を取り付けた折畳み可能な柔軟素材から成るトートバッグ本体と、該トートバッグ本体のバッグ部の内側に開口部を上側して付設した柔軟素材から成る携帯格納袋とから成り、前記携帯格納袋の格納空間をバッグ本体の内部収納空間より小さく形成すると共に、前記トートバッグ本体を前記携帯格納袋の内部に格納できる大きさに折畳み可能に構成し、この携帯格納袋の背面部の開口部側の一端を吊下げ延設部を介在させてトートバッグ本体のバッグ部の内側の開口周縁部の近くに止着し、この止着部を介して携帯格納袋をフリーな状態に吊着して成り、前記携帯格納袋を前記止着部を支点として前記バッグ部の内部から外部へ取り出した状態において、前記携帯格納袋の開口部を前記バッグ部に向けて配置されるように構成したことを特徴とする内側ポケットとして機能する携帯格納袋を設けたトートバッグ。
【請求項２】
前記携帯格納袋の背面部に該携帯格納袋の開口部を塞ぐ被覆カバーを取付けたことを特徴とする請求項１記載の内側ポケットとして機能する携帯格納袋を設けたトートバッグ。
【請求項３】
前記携帯格納袋の背面部に該携帯格納袋の開口部を塞ぐ被覆カバーを取付け、この被覆カバーの先端部と前記携帯格納袋の前面部との対向面に面ファスナーをそれぞれ止着したことを特徴とする請求項１記載の内側ポケットとして機能する携帯格納袋を設けたトートバッグ。
【考案の詳細な説明】
【技術分野】
【０００１】
本考案は、トートバッグに係り、バッグとして使用しない場合はバッグ内に付設した小物入れ内にバッグをコンパクトに格納して携行できるトートバッグに関する。
【背景技術】
【０００２】
買物や旅行などに携行するバッグとして、比較的広い収納空間を有する肩掛けタイプのトートバッグが広く用いられている。
【０００３】
このトートバッグを買物や旅行などで携行する際、バッグとして使用しない時には広い収納空間を有する故に邪魔であり、また、バッグとして使用する場合、このバッグの内部に小物入れを付設しておけば便利である。
【考案の開示】
【考案が解決しようとする課題】
【０００４】
係る実情に鑑み、本考案は、このトートバッグを買物や旅行などに携行する際、バッグとして使用しない時にはバッグ内に付設した小物入れ内にバッグをコンパクトに格納して携行でき、バッグとして使用する時にはバッグ内に付設した小物入れとして使用できる、トートバッグを提供することを目的とする。
【課題を解決するための手段】
【０００５】
上記の目的を達成するため、本考案は、上部側に取り出し口を有する袋状のバッグ部とこのバッグ部の取り出し口側に肩掛け用又は手提げ用の取手を取り付けた折畳み可能な柔軟素材から成るトートバッグ本体と、該トートバッグ本体のバッグ部の内側に開口部を上側して付設した柔軟素材から成る携帯格納袋とから成り、前記携帯格納袋の格納空間をバッグ本体の内部収納空間より小さく形成すると共に、前記トートバッグ本体を前記携帯格納袋の内部に格納できる大きさに折畳み可能に構成し、この携帯格納袋の背面部の開口部側の一端を吊下げ延設部を介在させてトートバッグ本体のバッグ部の内側の開口周縁部の近くに止着し、この止着部を介して携帯格納袋をフリーな状態に吊着して成り、前記携帯格納袋を前記止着部を支点として前記バッグ部の内部から外部へ取り出した状態において、前記携帯格納袋の開口部を前記バッグ部に向けて配置されるように構成したことを特徴とする内側ポケットとして機能する携帯格納袋を設けたトートバッグを提供する。
【０００６】
買物などに携行したトートバッグを、バッグとして使用しない時は、前記携帯格納袋を前記トートバッグ本体のバッグ部の内部から外部へ止着部を支点として反転させて取り出し、前記携帯格納袋を取り出した前記トートバッグ本体を前記携帯格納袋の内部に格納可能な大きさに折畳み、折り畳まれた前記トートバッグ本体をこのトートバッグ本体側に向けられた前記携帯格納袋の開口部から携帯格納袋の内部に格納すれば、トートバッグ本体をコンパクトに格納して携行できる。バッグとして使用する時は、前記携帯格納袋の内部にコンパクトに格納されたバッグ本体を携帯格納袋から取り出し、折り畳まれたバッグ本体を展開し、展開されたバッグ本体のバッグ部内に携帯格納袋を収めれば、この携帯格納袋をバック本体のバッグ部内に付設した小物入れ用の内側ポケットとして用いることができる。
【０００７】
しかも、前記携帯格納袋を前記トートバッグ本体のバッグ部の内部から外部へ止着部を支点として反転させて取り出した際、取り出された前記携帯格納袋の開口部と前記トートバッグ本体のバッグ部の上部側との対向間隔を前記吊下げ延設部を介在させることによって一定長さ延ばすことができ、折り畳まれた前記トートバッグ本体をこのトートバッグ本体側に向けられた前記携帯格納袋の開口部から携帯格納袋の内部にスムーズに格納できる。
【０００８】
また、本考案は、前記携帯格納袋の背面部に該携帯格納袋の開口部を塞ぐ被覆カバーを取付け、この被覆カバーの先端部と前記携帯格納袋の前面部との対向面に面ファスナーをそれぞれ止着したことを特徴とする内側ポケットとして機能する携帯格納袋を設けたトートバッグを提供する。
【０００９】
前記トートバッグ本体を前記携帯格納袋の開口部から携帯格納袋の内部に格納した後に、前記被覆カバーで携帯格納袋の開口部を塞ぎ、且つ互いの面ファスナーを接着することによって、携帯格納袋の開口部を被覆カバーで確実に塞ぐことができる。
【考案の効果】
【００１０】
本考案の内側ポケットとして機能する携帯格納袋を設けたトートバッグによれば、トートバッグとしての使用時には前記携帯格納袋を小物入れ用の内側ポケットとして機能させることができ、この携帯格納袋（内側ポケット）を小物入れとして使用でき、トートバッグとしての不使用時には前記携帯格納袋内にトートバッグ本体をコンパクトに格納して携行できる。
【考案を実施するための最良の形態】
【００１１】
本考案の実施形態を図面に基づき説明する。図１はバッグとしての使用形態を示す一部切欠き斜視図、図２はバッグとしての使用形態における要部の拡大縦断面図、図３はバッグの格納過程を示す斜視図、図４はバッグを格納した状態を示す斜視図である。
【００１２】
図１及び図２に示すように、本考案のトートバッグは、トートバッグ本体１とバッグとしての使用形態では内側ポケットとして機能する携帯格納袋１０とから構成される。前記トートバッグ本体１は、上部側に取り出し口３を有する袋状のバッグ部２とこのバッグ部２の取り出し口３側に肩掛け用又は手提げ用の帯状提げ紐から成る取手４を取り付けた公知のものであり、このバッグ本体全体をポリエステル繊維などの折畳み可能な柔軟素材で構成してある。前記携帯格納袋（内側ポケット）１０は、前記トートバッグ本体１のバッグ部２の内部に開口部１１を上側して付設され、ポリエステル繊維などの柔軟素材で構成してある。
【００１３】
前記携帯格納袋１０の格納空間はトートバッグ本体１のバッグ部２の内部収納空間より小さく形成されるが、前記トートバッグ本体１は、その全体を前記携帯格納袋１０の内部に格納できる大きさに折畳み可能に構成してある。図３の一点鎖線はトートバッグ本体１を前記携帯格納袋１０の内部に格納できる大きさに折り畳んだ状態を示している。
【００１４】
図１及び図２に示すように、前記携帯格納袋１０の背面部１０ｂの開口部１１側の一端を吊下げ延設部１２を介在させてバッグ部２の取り出し口３の内側の開口周縁部の近くに止着（逢着）し、この止着部１３を介して携帯格納袋１０をフリーな状態に吊着している。そして、図３に示すように、前記携帯格納袋１０を前記止着部１３を支点として前記バッグ部２の内部から外部へ取り出した状態においては、前記携帯格納袋１０の開口部１１を前記バッグ部２に向けて配置されるように構成してある。図３に示すように、前記携帯格納袋１０を前記トートバッグ本体１のバッグ部２の内部から外部へ止着部１３を支点として反転させて取り出した際、取り出された前記携帯格納袋１０の開口部１１と前記トートバッグ本体１のバッグ部２の上部側との対向間隔Ｌを前記吊下げ延設部１２を介在させることによって一定長さ延ばすことができ、折り畳まれた前記トートバッグ本体１をこのトートバッグ本体側に向けられた前記携帯格納袋１０の開口部１１から携帯格納袋１０の内部にスムーズに格納できるようにしてある。
【００１５】
図２に示すように、前記携帯格納袋１０の背面部１０ｂに該携帯格納袋１０の開口部１１を塞ぐ被覆カバー１５を取付けてある。この被覆カバー１５は、携帯格納袋１０と同素材の柔軟素材で構成され、被覆カバー１５の上端部を携帯格納袋１０の背面部１０ｂの上部側に止着（逢着）して取付けてある。この被覆カバー１５は、図４に示すように、携帯格納袋１０内にバッグ本体１を格納した状態において、携帯格納袋１０の開口部１１を被覆するようにしてある。前記被覆カバー１５の先端部と前記携帯格納袋１０の前面部１０ａとの対向面に面ファスナー１６ａ，１６ｂをそれぞれ止着してあり、互いの面ファスナー１６ａ，１６ｂを接合し面接着することによって、図４に一点鎖線で示したように携帯格納袋１０の開口部１１を被覆カバー１５で完全に被覆し塞げるようにしている。
【００１６】
以上のように構成した本考案のトートバッグを、バッグとして使用しない時は、図３に示したように、前記携帯格納袋１０を前記トートバッグ本体１のバッグ部２の内部から外部へ止着部１３を支点として反転させて取り出し、前記携帯格納袋１０を取り出した前記トートバッグ本体１を前記携帯格納袋１０の内部に格納可能な大きさに折畳み、折り畳まれた前記トートバッグ本体１をこのトートバッグ本体側に向けられた前記携帯格納袋１０の開口部１１から携帯格納袋１０の内部に格納すれば、図３に示したように、トートバッグ本体１を携帯格納袋１０内にコンパクトに格納して携行できる。
【００１７】
また、バッグとして使用する時は、前記携帯格納袋１０の内部にコンパクトに格納されたバッグ本体１を携帯格納袋から取り出し、折り畳まれたバッグ本体１を展開し、展開されたバッグ本体１のバッグ部内に携帯格納袋１０を収めれば、この携帯格納袋１０をバック本体１のバッグ部内に付設した小物入れ用の内側ポケットとして用いることができる。また、前記被覆カバー１５は、図２に示したように携帯格納袋１０の背面部１０ｂに取付けてあるため、内側ポケットとしての使用に際して、この被覆カバー１５が邪魔になることはない。
【図面の簡単な説明】
【００１８】
【図１】バッグとしての使用形態を示す一部切欠き斜視図である。
【図２】バッグとしての使用形態における要部の拡大縦断面図である。
【図３】バッグの格納過程を示す斜視図である。
【図４】バッグの格納状態を示す斜視図である。
【符号の説明】
【００１９】
１  トートバッグ本体
２  バッグ部
３  取り出し口
４  取手
１０  携帯格納袋（内側ポケット）
１０ａ  携帯格納袋の前面部
１０ｂ  携帯格納袋の背面部
１１  開口部
１２  吊下げ延設部
１３  止着部
１５  被覆カバー
１６ａ，１６ｂ  面ファスナー
【図１】
0003137469.tif 000003
【図２】
0003137469.tif 000004
【図３】
0003137469.tif 000005
【図４】
0003137469.tif 000006